(57)【要約】【課題】中皿の着脱を簡易な構造で実現したコンパクト容器を提案する。【解決手段】中皿収納部Aの仕切り部Cには、中皿収納部Aに向かって中皿40を挿入可能な挿入孔hを形成し、仕切り部Cには、弾性変形することによって中皿40を乗越えさせる弾性体50,60を設ける。【選択図】図１
2014166265.tif 000002
【特許請求の範囲】
【請求項１】
容器本体に蓋体が連結されると共に、前記容器本体に中枠体が嵌合され、該容器本体と中枠体とで、化粧料が充填された中皿を着脱自在に収納する中皿収納部を形成するコンパクト容器であって、
前記中皿収納部の仕切り部には、該中皿収納部に向かって前記中皿を挿入可能な挿入孔が形成されており、
前記仕切り部には、弾性変形することによって前記中皿を乗越えさせる弾性体が設けられているコンパクト容器。
【請求項２】
前記弾性体として、前記中皿の互いに対向する側壁をそれぞれ乗越えさせる一対の側方弾性体と、前記中皿の底壁を乗越えさせる下方弾性体とを設けた、請求項１に記載のコンパクト容器。
【請求項３】
前記一対の側方弾性体は、前記中皿の側壁に向かって膨出する湾曲部を有し、前記中枠体又は前記容器本体に両持支持された板状部材であり、
前記下方弾性体は、前記中皿の底壁に向かって膨出する湾曲部を有し、前記容器本体の底面壁に片持支持された板状部材である、請求項２に記載のコンパクト容器。
【請求項４】
前記一対の側方弾性体は前記中枠体又は前記容器本体とインサート成形され、前記下方弾性体は前記容器本体とインサート成形された、請求項２又は３に記載のコンパクト容器。
【発明の詳細な説明】
【技術分野】
【０００１】
本発明は、容器本体に蓋体が連結されると共に、容器本体と中枠体とで、化粧料が充填された中皿を着脱自在に収納する中皿収納部を形成するコンパクト容器に関し、特に、中皿の着脱を簡易な構造で実現しようとするものである。
【背景技術】
【０００２】
従来、この種のコンパクト容器として、例えば特許文献１に記載されるようなものが知られている。特許文献１では、交換可能なレフィルタイプの中皿を中皿収納部に着脱自在とするため、中皿収納部と、化粧料を塗布するための塗布具を収納する塗布具収納部との仕切り部を、中皿に対して係合して中皿を保持する保持位置と、中皿に対して塗布具収納部側に離間して中皿の保持を解除する解除位置との間でスライド可能なスライド部材として構成している。
【先行技術文献】
【特許文献】
【０００３】
【特許文献１】特開２０１２−２４９６７５号公報
【発明の概要】
【発明が解決しようとする課題】
【０００４】
しかしながら、特許文献１に記載されるように、仕切り部をスライド部材として構成する場合には、構造が複雑になるという問題があった。
本発明は、前記したような従来の問題を解決するために開発されたもので、中皿の着脱を簡易な構造で実現したコンパクト容器を提案することを目的とする。
【課題を解決するための手段】
【０００５】
すなわち、本発明の要旨構成は以下のとおりである。
１．容器本体に蓋体が連結されると共に、前記容器本体に中枠体が嵌合され、該容器本体と中枠体とで、化粧料が充填された中皿を着脱自在に収納する中皿収納部を形成するコンパクト容器であって、
前記中皿収納部の仕切り部には、該中皿収納部に向かって前記中皿を挿入可能な挿入孔が形成されており、
前記仕切り部には、弾性変形することによって前記中皿を乗越えさせる弾性体が設けられているコンパクト容器。
【０００６】
２．前記弾性体として、前記中皿の互いに対向する側壁をそれぞれ乗越えさせる一対の側方弾性体と、前記中皿の底壁を乗越えさせる下方弾性体とを設けた、前記１のコンパクト容器。
【０００７】
３．前記一対の側方弾性体は、前記中皿の側壁に向かって膨出する湾曲部を有し、前記中枠体又は前記容器本体に両持支持された板状部材であり、
前記下方弾性体は、前記中皿の底壁に向かって膨出する湾曲部を有し、前記容器本体の底面壁に片持支持された板状部材である、前記２のコンパクト容器。
【０００８】
４．前記一対の側方弾性体は前記中枠体又は前記容器本体とインサート成形され、前記下方弾性体は前記容器本体とインサート成形された、前記２又は３のコンパクト容器。
【発明の効果】
【０００９】
本発明によれば、中皿収納部の仕切り部に形成された挿入孔を通じて、中皿を、中皿収納部に向かって挿入し、仕切り部に設けられた弾性体を弾性変形させて乗り越えさせることによって、中皿収納部内に装着することができ、その逆の操作によって中皿を中皿収納部から取り外すことができる。したがって、従来のようなスライド部材を設ける必要がなく、中皿の着脱を簡易な構造で実現することができる。
【図面の簡単な説明】
【００１０】
【図１】本発明の一実施形態に係るコンパクト容器を蓋体を開いた状態で示す平面図である。
【図２】図１のＸ−Ｘ断面図である。
【発明を実施するための形態】
【００１１】
以下、図１〜２を参照して、本発明の一実施形態に係るコンパクト容器について詳細に例示説明する。なお、以下の説明において前後左右とは、コンパクト容器の底面に沿って蓋体のヒンジの反対側から見たときを基準とし、前方向とは図１における下方向、後ろ方向とは図１における上方向、右方向とは図１における右方向、左方向とは図１における左方向を意味するものとする。
【００１２】
図１に示すように、本例のコンパクト容器１は、容器本体２０と、中枠体３０と、中皿４０と、一対の側方弾性体５０と、下方弾性体６０と、蓋体７０とからなる。容器本体２０には、中枠体３０が上方から嵌合され、容器本体２０と中枠体３０とで中皿収納部Ａが形成されている。中皿収納部Ａには、化粧料が充填された、交換可能なレフィルタイプの中皿４０が着脱自在に収納されている。中皿収納部Ａの右側には、本例では、化粧料を塗布するための、例えばパフ等の塗布具（図示省略）を収納する塗布具収納部Ｂが、容器本体２０と中枠体３０とで形成されている。また、中皿収納部Ａと塗布具収納部Ｂとの間には、容器本体２０と中枠体３０とで形成され、前後方向に延びる仕切り部Ｃが設けられている。
【００１３】
中皿収納部Ａには、本例では平面視略正方形状をなす中皿４０が収納されており、中皿４０に充填された化粧料を上方に向けて露出する開口部３１が中枠体３０の天面壁３２に形成されている。この開口部３１の周縁部における左右２箇所にはそれぞれ、中皿４０の周壁４１の上端面に対向し、中皿４０の開口部３１からの抜け出しを防止する庇部３３が形成されている。
【００１４】
中皿収納部Ａの左前及び左後ろの両角部にはそれぞれ、平面視略Ｌ字状の位置決め片２１が容器本体２０の底面壁２２から立設され、中皿４０の左側、前側及び後ろ側の周壁４１に当接している。
【００１５】
また、開口部３１を前後に挟んで互いに対向する位置には、一対のガイド片２３が形成されている。各ガイド片２３は、その基端部２３ａが容器本体２０の側面壁２４又は底面壁２２に連設され、末端部２３ｂは自由端とするバネ体になっている。各ガイド片２３の末端部２３ｂは、中皿４０の前後の周壁４１に圧接している。
【００１６】
なお、ヒンジ７１を介して容器本体２０に連結された蓋体７０のヒンジ７１と反対側の周縁部には、容器本体２０に設けられた本体側係止片２５に係止する蓋側係止片（図示省略）が設けられている。蓋側係止片は、操作片Ｓを後方へ向かって押圧することで本体側係止片２５への係止が解除され、蓋体７０を開放できるようになっている。
【００１７】
塗布具収納部Ｂでは、塗布具（図示省略）を取り外した状態で、中皿４０を上方から塗布具収納部Ｂ内に挿入可能な開口３４が、中枠体３０の天面壁３２に形成されている。
【００１８】
仕切り部Ｃには、図１及び図２に示すように、塗布具収納部Ｂから中皿収納部Ａに向かって中皿４０を挿入可能な挿入孔ｈが、容器本体２０と中枠体３０とで形成されている。また、仕切り部Ｃには、中皿４０の前後側の側壁４１をそれぞれ乗越えさせる一対の側方弾性体５０と、中皿４０の底壁４２を乗越えさせる下方弾性体６０とが設けられている。
【００１９】
一対の側方弾性体５０は、中皿４０の側壁４１に向かって膨出する湾曲部５１を有し、本例では中枠体３０に両持支持された、例えば、ゴム、エラストマーなどの軟質材からなる板状部材である。具体的には、一対の側方弾性体５０はそれぞれ、中枠体３０の天面壁３２から垂設された柱部３５によって両持支持されている。また、側方弾性体５０は、中枠体３０に代えて、容器本体２０に両持支持させることもでき、その場合には例えば、柱部３５を、中枠体３０の天面壁３２ではなく容器本体２０の側面壁２４に連設し、このように設けた柱部３５によって両持支持させることができる。側方弾性体５０は、中枠体３０又は容器本体２０とインサート成形して形成することが好ましい。
【００２０】
下方弾性体６０は、中皿４０の底壁４２に向かって膨出する湾曲部６１を有し、容器本体２０の底面壁２２に片持支持された板状部材である。なお、下方弾性体６０も、一対の側方弾性体５０の場合と同様に、例えば、ゴム、エラストマーなどの軟質材で形成することが好ましい。また、下方弾性体６０は、容器本体２０の底面壁２２に形成された凹部内に片持支持されている。なお下方弾性体６０は、容器本体２０とインサート成形して形成することが好ましい。
【００２１】
かかる構成によれば、蓋体７０を開放し、塗布具を取り外した状態で、塗布具収納部Ｂ内に中皿４０を配置し、仕切り部Ｃに形成された挿入孔ｈを通じて、中皿４０を、塗布具収納部Ｂから中皿収納部Ａに向かって挿入することができる。その際、中皿４０の左前及び左後ろの角部を、前後のガイド片２３によって前後の位置決め片２１内へと案内することができる。
【００２２】
そして、中皿４０の前後側の側壁４１に、一対の側方弾性体５０の湾曲部５１をそれぞれ弾性変形させて乗越えさせ、またこれと同時に、中皿４０の底壁４２に、下方弾性体６０の湾曲部６１を弾性変形させて乗越えさせることによって、中皿４０の左側の側壁４１を位置決め片２１内に突き当て、中皿４０を中皿収納部Ａ内に装着することができる。また、その逆の操作によって中皿４０を中皿収納部Ａから取り外すことができる。
【００２３】
したがって、本例のコンパクト容器１によれば、中皿４０の着脱を簡易な構造で実現することができる。また、本例では、一対の側方弾性体５０及び下方弾性体６０を湾曲部を有する板状部材としたので、少ない材料で弾性体を形成することができ、製造コストを低減することができる。
【００２４】
上述したところは、本発明の一実施形態を示したにすぎず、特許請求の範囲において、種々の変更を加えることができる。例えば、中皿収納部Ａの仕切り部Ｃを挟んだ反対側には塗布具収納部Ｂが設けられるものとして説明したが、必ずしもこのような構成に限られず、例えば、塗布具収納部Ｂに代えて他の中皿を収納する第２の中皿収納部を設けることもできる。また、弾性体として、一対の側方弾性体５０及び下方弾性体６０を有するものとして説明したが、必ずしもこのような構成に限定する必要はなく、例えば、一対の側方弾性体５０を省略して下方弾性体６０のみを設けたり、逆に、下方弾性体６０を省略して一対の側方弾性体５０のみを設けることも可能である。
【符号の説明】
【００２５】
１  コンパクト容器
２０  容器本体
２１  位置決め片
２２  底面壁
２３  ガイド片
２３ａ  基端部
２３ｂ  末端部
２４  側面壁
２５  本体側係止片
３０  中枠体
３１  開口部
３２  天面壁
３３  庇部
３４  開口
３５  柱部
４０  中皿
４１  周壁
４２  底壁
５０  側方弾性体
５１  湾曲部
６０  下方弾性体
６１  湾曲部
７０  蓋体
７１  ヒンジ
Ａ  中皿収納部
Ｂ  塗布具収納部
Ｃ  仕切り部
Ｓ  操作片
ｈ  挿入孔
【図１】
2014166265.tif 000003
【図２】
2014166265.tif 000004